(57)【要約】【課題】支柱に簡便に取り付け可能な架台を提供する。【解決手段】架台２は、支柱１に固定される架台であって、上方端部３ｂ及び下方端部３ａがくさび形に形成され、支柱に沿って取り付けられる柱状の柱材３と、支柱に着脱可能に取り付けられ、支柱に取り付けられたときに下方端部のくさび形に合わせた挿入部１９を形成して柱材の下方端部を支持する第１ブラケット１０と、支柱に着脱可能に取り付けられ、支柱に取り付けられたときに上方端部のくさび形に合わせた挿入部２９を形成して柱材の上方端部を支持する第２ブラケット２０と、柱材に取り付けられ水平方向に延びる梁材４と、梁材より上方に位置する柱材の接続部と前記梁材とを接続して吊り構造により梁材を支持する接続部材５とを備える。【選択図】図１
2020105822.tif 000002
【特許請求の範囲】
【請求項１】
支柱に固定される架台であって、
上方端部及び下方端部がくさび形に形成され、前記支柱に沿って取り付けられる柱状の柱材と、
前記支柱に着脱可能に取り付けられ、前記支柱に取り付けられたときに前記下方端部のくさび形に合わせた挿入部を形成して前記柱材の前記下方端部を支持する第１ブラケットと、
前記支柱に着脱可能に取り付けられ、前記支柱に取り付けられたときに前記上方端部のくさび形に合わせた挿入部を形成して前記柱材の前記上方端部を支持する第２ブラケットと、
前記柱材に取り付けられ水平方向に延びる梁材と、
前記梁材より上方に位置する前記柱材の接続部と前記梁材とを接続して吊り構造により前記梁材を支持する接続部材と、
を備えることを特徴とする架台。
【請求項２】
前記支柱に沿って鉛直方向に連続して配置される請求項１に記載の架台であって、
下方に配置される第１の前記架台の前記第２ブラケットは、鉛直方向に連続して上方に配置される第２の前記架台に連結するよう、前記第２の架台の前記第１ブラケットが嵌合される嵌合部を有することを特徴とする架台。
【請求項３】
前記支柱に沿って鉛直方向に連続して配置される請求項２に記載の架台であって、
前記第２の架台の前記第１ブラケットは、前記第１の架台に連結するよう、前記第２の架台の前記第１ブラケットの下端に、前記第１の架台の前記第２ブラケットの前記嵌合部の横方向の移動を規制する規制部を有することを特徴とする架台。
【請求項４】
前記柱材の前記上方端部及び前記下方端部のそれぞれは、支持される前記第１ブラケットと前記第２ブラケットとにボルト接合されることを特徴とする請求項１から３のいずれか一項に記載の架台。
【請求項５】
くさび形の端部を有する柱材を備える架台を、支柱に固定するためのブラケットであって、
前記柱材の前記くさび形の端部を支持し、第１端部と該第１端部の反対側の端部に位置する当接部とを有する架台側支持部と、
前記支柱の奥行の長さより大きい距離離れて前記架台側支持部に対して対向して配置され、前記架台側支持部の第１端部と同方向の端部に位置する係合部を有する柱側支持部と、
前記架台側支持部の一方の側部と、該側部と同方向に位置する前記柱側支持部の一方の側部とを連結する連結部と、
前記架台側支持部の前記当接部から、前記架台が前記支柱に固定される場合に前記支柱に沿って延びるよう形成された延長部と、を備え、
前記架台が前記支柱に固定される場合、前記架台側支持部の前記当接部が前記支柱の正面に当接し、前記柱側支持部の前記係合部が前記支柱の背面に係合して、前記架台側支持部と前記支柱の正面との間に形成された挿入部に前記柱材の前記くさび形の端部が挿入されることで、前記架台が前記支柱に固定されることを特徴とするブラケット。
【請求項６】
前記延長部の先端に、前記支柱に沿って連続して配置される他の架台の延長部が嵌合される嵌合部を有することを特徴とする請求項５に記載のブラケット。
【発明の詳細な説明】
【技術分野】
【０００１】
本発明は架台及びブラケットに係り、特に、支柱を利用して取り付けられる架台及びその架台を支柱に取り付けるブラケットに関する。
【背景技術】
【０００２】
従来、建物の内装工事等を行うにあたって、内壁、床及び天井などを構成する、断熱材やパネル等の資材が搬入され、それらは建物内の地面に仮置きされる。地面に仮置きされた資材は床等を施工するうえで妨げになることから移動させる必要があるが、この資材の移動が内装工事を煩雑にしていた。資材を地面に置くことなく作業を進められれば、このような資材の移動作業を省くことができる。
【０００３】
そのため、先に設置された建物の支柱等を利用して簡便に設置可能な荷物用構台となる架台が望まれている。特許文献１には、くさび緊結式の足場用支柱が開示されているものの、先に設置された建物の支柱を利用して、簡便に荷物用構台等の架台を設置することは行われていない。
【先行技術文献】
【特許文献】
【０００４】
【特許文献１】特開２０１７−２０３３７５号公報
【発明の概要】
【発明が解決しようとする課題】
【０００５】
本発明は前記の課題に鑑みてなされたものであって、その目的とするところは、支柱に簡便に取り付け可能な架台及びそれを支柱に取り付けるブラケットを提供することにある。
【課題を解決するための手段】
【０００６】
上記課題は、本発明の架台によれば、支柱に固定される架台であって、上方端部及び下方端部がくさび形に形成され、前記支柱に沿って取り付けられる柱状の柱材と、前記支柱に着脱可能に取り付けられ、前記支柱に取り付けられたときに前記下方端部のくさび形に合わせた挿入部を形成して前記柱材の前記下方端部を支持する第１ブラケットと、前記支柱に着脱可能に取り付けられ、前記支柱に取り付けられたときに前記上方端部のくさび形に合わせた挿入部を形成して前記柱材の前記上方端部を支持する第２ブラケットと、前記柱材に取り付けられ水平方向に延びる梁材と、前記梁材より上方に位置する前記柱材の接続部と前記梁材とを接続して吊り構造により前記梁材を支持する接続部材と、を備えることにより解決される。
【０００７】
本発明の架台は、上方端部及び下方端部がくさび形に形成された柱材を、支柱に着脱可能な上記の第１ブラケット及び第２ブラケットを用いて支持している。ブラケットの取付けにくぎやボルト等の締結部材が不要で、架台を固定するための道具も不要であり、支柱に架台を簡便に固定することが可能になる。また、梁材を下方から支持する場合、支持する支持材にある程度の太さ、例えば梁材又は柱材と同程度の幅が必要となる。そのため、架台を二段以上設けると、上の段に位置する架台の支持材により荷物の配置が阻害され荷物を配置する面積が減少する。本発明のように吊り構造により梁材を支持すると、梁材を支持する接続部材を梁材や柱材よりも細くすることができる。そのため、荷物を配置する面積を、梁材を下方から支持する場合と比較してより広く確保することができる。また、吊り構造にすることで、例えば荷物に接続部材が干渉しないよう、接続部材を梁材や柱材の外側に位置させることが可能になる。
【０００８】
上記の架台に関して好適な構成を述べると、前記支柱に沿って鉛直方向に連続して配置される前記架台であって、下方に配置される第１の前記架台の前記第２ブラケットは、鉛直方向に連続して上方に配置される第２の前記架台に連結するよう、前記第２の架台の第１ブラケットが嵌合される嵌合部を有してもよい。
【０００９】
第２ブラケットが、第１ブラケットが嵌合される嵌合部を備えることで、第１ブラケットと第２ブラケットとが一体的になり、架台を安定的に鉛直方向に連続して配置させることができる。
【００１０】
また、上記の架台に関して好適な構成を述べると、前記支柱に沿って鉛直方向に連続して配置される請求項２に記載の架台であって、前記第２の架台の前記第１ブラケットは、前記第１の架台に連結するよう、前記第２の架台の前記第１ブラケットの下端に、前記第１の架台の前記第２ブラケットの前記嵌合部の横方向の移動を規制する規制部を有してもよい。
【００１１】
第１ブラケットが嵌合部の横方向の移動を規制する規制部を備えることで、第１ブラケットと第２ブラケットとの横方向のずれが規制されになり、架台をより安定的に鉛直方向に連続して配置させることができる。
【００１２】
また、上記の架台に関して好適な構成を述べると、前記柱材の前記上方端部及び前記下方端部のそれぞれは、支持される前記第１ブラケットと前記第２ブラケットとにボルト接合されてよい。第１ブラケットと第２ブラケットとを柱材にボルト接合することにより、柱材は支柱から外れ難くなり、架台の安定性が向上する。
【００１３】
また、上記課題は、本発明のブラケットによれば、くさび形の端部を有する柱材を備える架台を、支柱に固定するためのブラケットであって、前記柱材の前記くさび形の端部を支持し、第１端部と該第１端部の反対側の端部に位置する当接部とを有する架台側支持部と、前記支柱の奥行の長さより大きい距離離れて前記架台側支持部に対して対向して配置され、前記架台側支持部の第１端部と同方向の端部に位置する係合部を有する柱側支持部と、前記架台側支持部の一方の側部と、該側部と同方向に位置する前記柱側支持部の一方の側部とを連結する連結部と、前記架台側支持部の前記当接部から、前記架台が前記支柱に固定される場合に前記支柱に沿って延びるよう形成された延長部と、を備え、前記架台が前記支柱に固定される場合、前記架台側支持部の前記当接部が前記支柱の正面に当接し、前記柱側支持部の前記係合部が前記支柱の背面に係合して、前記架台側支持部と前記支柱の正面との間に形成された挿入部に前記柱材の前記くさび形の端部が挿入されることで、前記架台が前記支柱に固定される、ことにより解決される。
【００１４】
上記構成を有するブラケットにより、ブラケットの支柱に対する取付けにくぎやボルト等の締結部材が不要となるため、支柱に架台を簡便に固定することが可能になる。
また、柱側支持部の高さ方向の長さを、架台側支持部の高さ方向の長さより小さくすれば、ブラケットを支柱に取り付けた後においても、支柱の背面側への突出が小さくなる。そのため、支柱の背面と壁との隙間が小さい場合でも、ブラケットを支柱に取り付けることが可能になる。また、ブラケットが延長部を備えることで、延長部の先に位置する部材、例えば基礎や他のブラケットに当接して、基礎や他のブラケットに架台の荷重を伝達することが可能になる。また、延長部を予め所望の長さで形成することにより、架台を設置する高さを設定することができる。
【００１５】
また、上記のブラケットに関して好適な構成を述べると、前記延長部の先端に、前記支柱に沿って連続して配置される他の架台の延長部が嵌合される嵌合部を有してもよい。これにより、連続して配置されるブラケットが一体的になり、架台を安定的に連続して配置させることができる。
【発明の効果】
【００１６】
本発明に係る架台によれば、支柱に対して簡便に固定することが可能な架台を提供することができる。
また、第２ブラケットが、第１ブラケットが嵌合される嵌合部を備えることで、架台を安定的に鉛直方向に連続して配置させることができる。
また、第１ブラケットが規制部を備えることで、横方向のずれが規制され、架台をより安定的に鉛直方向に連続して配置させることができる。
また、第１ブラケットと第２ブラケットとを柱材にボルト接合することで、柱材は取り付けられた支柱から外れ難くなり架台の安定性が向上する。
また、本発明に係るブラケットにより、ブラケットの支柱に対する取付けにくぎやボルト等の締結部材が不要となるため、支柱に架台を簡便に固定することが可能になる。ブラケットが延長部を備えることで、延長部の先に位置する部材、例えば基礎や他のブラケットに当接して、基礎や他のブラケットに架台の荷重を伝達することが可能になる。延長部を予め所望の長さで形成することにより、架台を設置する高さを設定することができる。
また、延長部の先端に、他の架台の延長部が嵌合される嵌合部を有することで、連続して配置されるブラケットが一体的になり、架台を安定的に連続して配置させることができる。
【図面の簡単な説明】
【００１７】
【図１】本実施形態に係る架台を示す側面図であり、支柱に対して架台を２段に設けた状態を示す図である。
【図２】図１に示すＩＩ−ＩＩ線に沿った本実施形態に係る架台の断面図である。
【図３】支柱に取り付けられた第１ブラケットに柱材を取り付ける前の状態を示す分解斜視図である。
【図４】柱材に第２ブラケットを取り付ける前の状態を示す分解斜視図である。
【図５】第１ブラケットの三面図であり、（ａ）は側面図、（ｂ）は正面図、（ｃ）は底面図であり、取り付けられる支柱との関係を示す図である。
【図６】第２ブラケットの三面図であり、（ａ）は側面図、（ｂ）は正面図、（ｃ）は平面図であり、取り付けられる支柱との関係を示す図である。
【図７】第１ブラケットを示す斜視図である。
【図８】嵌合部を有する第２ブラケットを示す斜視図である。
【図９】規制部を有する第１ブラケットの別例を示す斜視図である。
【発明を実施するための形態】
【００１８】
以下、本発明の一実施形態（以下、本実施形態）について図１〜図９を用いて説明する。以下の実施形態において同一又は類似の構成要素には共通の参照符号を付して示し、理解を容易にするために、これら図面は縮尺を適宜変更している。
【００１９】
本実施形態の架台２は、支柱１を利用して取り付けられる荷物用構台として使用される架台である。図１に示すように、１本の支柱１に取り付けられた架台２（第１の架台）の鉛直方向（上方向）に連続して、架台２ａ（第２の架台）が配置される。なお、本願明細書では、架台２が取り付けられる支柱１の側面を正面１ａとし、その反対側を支柱１の背面１ｂとする。また、架台２とその上に配置される架台２ａは略同じ構造であるため、以下では架台２を中心に説明を行う。
なお、架台２が取り付けられる支柱１は、建物を構成する柱であり、架台２は荷物用構台として一時的に支柱１に設置される。床や壁が設置された後、架台２は支柱１から取り外される。
【００２０】
架台２は、支柱１に沿って取付けられる柱状の柱材３と、支柱１に着脱可能に取り付けられ、柱材３の下方端部３ａを支持する第１ブラケット１０と、支柱１に着脱可能に取り付けられ、柱材３の上方端部３ｂを支持する第２ブラケット２０と、を備える。また、架台２は、柱材３に取り付けられ水平方向に延びる梁材４と、梁材４より上方に位置し柱材３の端部に設けられる接続部３ｃと梁材４の接続部４ｂとを接続して吊り構造により梁材４を支持する接続部材５とを備える。
【００２１】
図３に示すように柱材３の下方端部３ａはくさび形に形成されている。下方端部３ａは後述する第１ブラケット１０により形成された挿入部１９に挿入される。それにより、柱材３の下方端部３ａが第１ブラケット１０によって支持される。また、くさび形に形成された下方端部３ａにはボルト孔３ｄが形成されている。下方端部３ａが挿入部１９に挿入された後、第１ブラケット１０の貫通孔１６に挿通されたボルト３２により、下方端部３ａと第１ブラケット１０とが締結される。
【００２２】
また、図４に示すように柱材３の上方端部３ｂもくさび形に形成されている。上方端部３ｂが後述する第２ブラケット２０により形成された挿入部２９に挿入されることにより、柱材３の上方端部３ｂが第２ブラケット２０により支持される。くさび形に形成された上方端部３ｂにもボルト孔３ｅが形成されている。上方端部３ｂに挿入部２９に挿入された後、第２ブラケット２０の貫通孔２６に挿通されたボルト３２により、上方端部３ｂと第２ブラケット２０とが締結される。
【００２３】
梁材４は、図１に示すように柱材３の略中央から水平に延びるよう柱材３に取り付けられる。また、梁材４の先端には、フランジ状に形成されたストッパ３０が設けられる。梁材４にはつなぎ部材４０が載置される。つなぎ部材４０は、図２に示すように梁材４と、隣の支柱１０１に取り付けられた架台２の梁材４とに亘るよう載置される。梁材４の先端にストッパ３０があることにより、つなぎ部材４０が移動して梁材４から外れることが抑制される。なお、梁材４は柱材３にボルト接合されていて、作業現場で組み立てることができる。
【００２４】
接続部材５はターンバックル３１を有する。そのため、作業者が梁材４を取り付けた後でもターンバックル３１を回転することにより接続部材５の長さＬを変更することができる。接続部材５の長さＬを変更することにより、梁材４の水平を調整することができる。梁材４の水平を調整することにより、つなぎ部材４０を傾くことなく安定した状態で荷物を載置することができる。また、例えば梁材４を下方から持ち上げるトラス構造の場合、支持する支持材を柱材や梁材とほぼ同じ太さで形成するが、本実施形態の架台２では吊り構造により梁材４を接続部材５で支持していることから比較的細く形成することができる。また、図２に示すように吊り構造にすることで接続部材５を柱材３及び梁材４の外側（図２に向かって柱材３及び梁材４の左側又は右側）に張り出して取り付けることができる。それにより、接続部材５が梁材４上に置かれた荷物に干渉することがなくなり、荷物を置く場所をより広く確保することができる。
【００２５】
本実施形態の架台２は、図２に示すように隣にある他の支柱１０１に取り付けられた架台２と協働して荷物を載置する。本実施形態では架台２の梁材４に亘って３本のつなぎ部材４０が架けられているが、載置する荷物に応じて、つなぎ部材４０を３本以上設置してもよい。また、板材状の部材を梁材４に亘って架けてもよい。
【００２６】
また、図２に示すように、支柱１に取り付けられる接続部材５が柱材３より図２に向かって左側に張り出して取り付けられているのに対して、支柱１０１に取り付けられる架台２の接続部材５は柱材３より図２に向かって右側に張り出して取り付けられる。このように、支柱１と支柱１０１の間の中心軸に対して左右対称に接続部材５を柱材３，３に取り付けることにより、接続部材５が可能な限り離れて位置するようになりより広い面積を確保している。
【００２７】
次に、第１ブラケット１０及び第２ブラケット２０の構成について図３〜図９を用いて説明する。上述したように第１ブラケット１０は、柱材３を支柱１に着脱可能に取り付けるための部材である。第１ブラケット１０は、柱材３の下方端部３ａを直接支持する架台側支持部１１を有する。また、支柱１の奥行の長さＬ０より長い距離Ｌ１離れて架台側支持部１１に対して対向して配置される柱側支持部１２を有する。架台側支持部１１は、第１端部１１ａと、その第１端部１１ａの反対側にある端部に位置し、支柱１に取り付けられたとき支柱１に当接する当接部１１ｂを有する。
【００２８】
柱側支持部１２は、架台側支持部１１の第１端部１１ａと同方向の端部に位置する係合部１２ａを有し、その反対側に第２端部１２ｂを有する。
また、第１ブラケット１０は、架台側支持部１１の両側部のうち一方の側部１１ｃと、架台側支持部１１の側部１１ｃと同方向に位置する柱側支持部１２の一方の側部１２ｃとを連結する台形状の連結部１３を備える。
【００２９】
架台２の柱材３が支柱１に固定されるとき、架台側支持部１１の当接部１１ｂが、支柱１の正面１ａに当接し、柱側支持部１２の係合部１２ａが支柱１の背面１ｂに係合する。そして、架台側支持部１１と支柱１の正面１ａとの間に挿入部１９が形成され、柱材３の下方端部３ａが挿入される。それにより、柱材３が支柱１に固定される。支柱１に第１ブラケット１０を取り付けるとき、連結部１３の反対側に設けられた隙間から挿入する。支柱１を隙間から挿入した後、図３に示すように、支柱１に対して第１ブラケット１０を傾ける。
【００３０】
また、図５に示すように、柱側支持部１２の高さ方向の長さＨ２は、架台側支持部１１の高さ方向の長さＨ１より短い。これは、例えば架台側支持部１１と柱側支持部１２とが同じ高さで作製すると、第１ブラケット１０を傾けた場合、支柱１の背面側に突出する部分が大きくなる。柱側支持部１２の高さ方向の長さＨ２を短くすることにより、支柱１の背面側に突出する部分を小さくしている。
【００３１】
第１ブラケット１０には、架台側支持部１１、柱側支持部１２及び連結部１３に亘って補強部１８が設けられている。また、架台側支持部１１の下方には、架台側支持部１１の当接部１１ｂから、支柱１に取り付けられた際、支柱１に沿って延びるよう形成された延長部１７が設けられている。支柱１の根本付近では、基礎４１より上の位置に凸部４２が形成されている。延長部１７が凸部４２と当接することにより、第１ブラケット１０の位置が定められる。また、延長部１７が凸部４２に当接することで、架台２の荷重は延長部１７により受けられ、凸部４２に伝達される。
【００３２】
次に第２ブラケット２０について説明する。第２ブラケット２０は、第１ブラケット１０の上下をさかさまにした部材であり、その構成はほぼ同じであるが、図６及び図８に示すように延長部２７の先端に、第１ブラケット１０の延長部１７が嵌合される嵌合部２５を有することが異なる。
【００３３】
上述のように、第２ブラケット２０は、柱材３を支柱１に取り付けるための着脱可能な部材であり、柱材３の上方端部３ｂを直接支持する架台側支持部２１を有する。また、支柱１の奥行の長さＬ０より長い距離Ｌ１離れて架台側支持部２１に対向して配置される柱側支持部２２を有する。架台側支持部２１は、第１端部２１ａと、その第１端部２１ａの反対側にある端部に位置する当接部２１ｂとを有する。
【００３４】
柱側支持部２２は、架台側支持部２１の第１端部２１ａと同方向の端部に位置する係合部２２ａを有し、その反対側に第２端部２２ｂを有する。
また、第２ブラケット２０は、架台側支持部２１の両側部のうち一方の側部２１ｃと、架台側支持部２１の側部２１ｃと同方向に位置する柱側支持部２２の一方の側部２２ｃとを連結する台形状の連結部２３を備える。
【００３５】
架台２の柱材３を支柱１に固定するとき、架台側支持部２１の当接部２１ｂが、支柱１の正面１ａに当接し、柱側支持部２２の係合部２２ａが支柱１の背面１ｂに係合する。そして、架台側支持部２１と支柱１の正面１ａとの間に挿入部２９が形成され、柱材３の上方端部３ｂが挿入される。それにより、柱材３が支柱１に固定される。
支柱１に第２ブラケット２０を取り付けるとき、連結部２３の反対側に設けられた隙間から支柱１を挿入する。支柱１を隙間から挿入した後、図４に示すように、支柱１に対して第２ブラケット２０を傾ける。
【００３６】
図６に示すように、第１ブラケット１０と同様、柱側支持部２２の高さ方向の長さＨ２は、架台側支持部２１の高さ方向の長さＨ１より短い。柱側支持部２２の高さ方向の長さＨ２を短くすることにより、支柱１の背面側に突出する部分を小さくしている。
【００３７】
第２ブラケット２０にも、架台側支持部２１、柱側支持部２２及び連結部２３に亘って補強部２８が設けられている。また、架台側支持部２１の上方に、架台側支持部２１の当接部２１ｂから支柱１に取り付けられた際、支柱１に沿って延びるよう形成された延長部２７が設けられている。さらに延長部２７の先端（第２ブラケット２０の上端）には、上述した支柱１の上方向に配置される架台２ａの第１ブラケット１０の延長部１７が嵌合される嵌合部２５が設けられている。延長部１７が嵌合部２５に嵌合されることにより、第２ブラケット２０と、第１ブラケット１０とが一体的になり、架台２ａを安定的に配置させることができる。
【００３８】
次に、図９を用いて第１ブラケット１０の別例である第１ブラケット１０ａついて説明する。第１ブラケット１０ａは、架台２の支柱１に沿って鉛直方向（上方向）に配置される架台２ａの第１ブラケット１０の代わりとして用いられる部材である。第１ブラケット１０ａは、架台２の第１ブラケット１０とほぼ同じ構成であるが、図９に示すように、延長部１７の下端（第１ブラケット１０ａの下端）に、架台２の第２ブラケット２０の嵌合部２５の横方向の移動を規制する規制部１５を有することが異なる。規制部１５は、一対の板材を、間隔をあけて立設することで実現している。第２ブラケット２０の嵌合部２５は、図８に示すように板状の部材であり、本実施形態の規制部１５は嵌合部２５の一対の板材の間に挿入されることで嵌合部２５の横移動を規制する。なお、規制部１５は嵌合部２５を挟持するように設けられてもよいし、規制部１５の一対の板材の間に挿入された際、嵌合部２５の板材と規制部１５との間に若干の隙間があるように設けられてもよい。これにより、第１ブラケット１０ａは、支柱１に対して横方向の移動に対しても抑制することができ、架台をより安定的に上方向に連続して配置させることができる。
【００３９】
上記実施形態では、主として本発明に係る架台に関して説明した。ただし、上記形態は、本発明の理解を容易に理解するための一例に過ぎず、本発明を限定するものではない。本発明は、その趣旨を逸脱することなく、変更、改良され得ると共に、本発明にはその等価物が含まれることはもちろんである。
【符号の説明】
【００４０】
１、１０１    支柱
２、２ａ    架台
３    柱材
３ａ    下方端部
３ｂ    上方端部
３ｃ    接続部
３ｄ    ボルト孔
３ｅ    ボルト孔
４    梁材
４ｂ    接続部
５    接続部材
１０、１０ａ    第１ブラケット
１１    架台側支持部
１１ａ    第１端部
１１ｂ    当接部
１１ｃ    一方の側部
１２    柱側支持部
１２ａ    係合部
１２ｂ    第２端部
１２ｃ    一方の側部
１３    連結部
１５    規制部
１６    挿通孔
１７    延長部
１８    補強部
１９    挿入部
２０    第２ブラケット
２１    架台側支持部
２１ａ    第１端部
２１ｂ    当接部
２１ｃ    一方の側部
２２    柱側支持部
２２ａ    係合部
２２ｂ    第２端部
２２ｃ    一方の側部
２３    連結部
２５    嵌合部
２６    挿通孔
２７    延長部
２８    補強部
２９    挿入部
３０    ストッパ
３１    ターンバックル
３２    ボルト
４０    つなぎ部材
４１    基礎
４２    凸部
【図１】
2020105822.tif 000003
【図２】
2020105822.tif 000004
【図３】
2020105822.tif 000005
【図４】
2020105822.tif 000006
【図５】
2020105822.tif 000007
【図６】
2020105822.tif 000008
【図７】
2020105822.tif 000009
【図８】
2020105822.tif 000010
【図９】
2020105822.tif 000011